(57)【特許請求の範囲】
【請求項１】
スタンド本体と、このスタンド本体の裏面に回動可能に取付けられて前記スタンド本体を所定の立ち姿勢に支持する支持脚とを備えたスタンド脚部のヒンジ構造であって、
前記スタンド本体は、裏面に立設されて相対向する弾性の一対の立上り部を有するとともに、前記一対の立上り部の先端部に相接近する爪部を有し、
前記支持脚は、前記一対の立上り部間に前記爪部の間を通して回転可能に挟持された軸を基端部に有するとともに、前記スタンド本体を前記所定の立ち姿勢に支持する際に前記スタンド本体と前記支持脚とがなす角度で前記スタンド本体の裏面に当接する当接部を前記基端部に有し、さらに前記角度以上に前記支持脚を回動するときに前記スタンド本体の裏面に支持される支点となって前記軸を前記爪部間から外す支点部を前記当接部に隣接して有することを特徴とするスタンド脚部のヒンジ構造。
【請求項２】
前記軸は多角形であり、前記支持脚が倒れた状態で前記立上り部に挟持される前記軸の対向面間距離をｃとし、前記支持脚が起きた状態で前記立上り部に挟持される前記軸の対向面間距離をｄとし、かつ前記立上り部の基部間隔をｆとすると、ｃ＜ｄ≦ｆである請求項１記載のスタンド脚部のヒンジ構造。
【発明の詳細な説明】
【０００１】
【発明の属する技術分野】
この発明は、写真を照らすバックライトとしてのフォトスタンド等に適用されるスタンド脚部のヒンジ構造に関するものである。
【０００２】
【従来の技術】
従来、図９に示すように、スタンド本体１００を一定の角度の立ち姿勢に支持するため、スタンド本体１００の裏面の差込み孔１０７に支持脚１０３を差し込むようにしたものがあった。
これに対して、従来図７に示すように、スタンド本体１００の裏面の支持脚取付部１０１の軸孔１０２と、支持脚１０３の軸孔１０６とを合わせ、これらにヒンジピン１０４を挿着し、支持脚１０３を起倒可能にしたものがあった。支持脚１０３の起立姿勢は当接面１０５で支持される。
【０００３】
図８に示す従来例も図７の構成とほぼ同様であり、共通部分に同一符号を付している。
【０００４】
【発明が解決しようとする課題】
しかし、支持脚１０３が起倒可能な従来例は、スタンド本体１００を支持する角度以上に支持脚１０３を広げる方向に大きい加重が加わると支持脚１０３が破壊するおそれがあった。またヒンジピン１０４のように締結部品を有するため部品点数が多くなりかつ金属部品を必要とするものが多い。
【０００５】
したがって、この発明の目的は、支持脚に開く加重が加わっても構成部品が破壊するのを防止することができるスタンド脚部のヒンジ構造を提供することである。
【０００６】
【課題を解決するための手段】
請求項１のスタンド脚部のヒンジ構造は、スタンド本体と、このスタンド本体の裏面に回動可能に取付けられて前記スタンド本体を所定の立ち姿勢に支持する支持脚とを備えたスタンド脚部のヒンジ構造であって、
前記スタンド本体は、裏面に立設されて相対向する弾性の一対の立上り部を有するとともに、前記一対の立上り部の先端部に相接近する爪部を有し、
前記支持脚は、前記一対の立上り部間に前記爪部の間を通して回転可能に挟持された軸を基端部に有するとともに、前記スタンド本体を前記所定の立ち姿勢に支持する際に前記スタンド本体と前記支持脚とがなす角度で前記スタンド本体の裏面に当接する当接部を前記基端部に有し、さらに前記角度以上に前記支持脚を回動するときに前記スタンド本体の裏面に支持される支点となって前記軸を前記爪部間から外す支点部を前記当接部に隣接して有することを特徴とするものである。
【０００７】
請求項１のスタンド脚部のヒンジ構造によれば、支持脚をスタンド本体の裏面に倒した状態から軸を中心に支持脚を回動して支持脚を起こし、当接部がスタンド本体の裏面に当接すると支持脚の回動が停止し、スタンド本体は支持脚により所定の姿勢に支持される。この支持脚を開く方向に支持脚にさらに加重が加わると、支持脚の支点部が支点として支持脚が回動し立上り部の弾性変形により軸が一対の立上り部の爪部から抜き出され、支持脚がスタンドから外れる。
【０００８】
この場合、支持脚に開く加重が加わっても支持脚がスタンド本体より離脱することができるので構成部品を破壊することのを防止することができる。また従来例と比較して部品点数を少なくすることができ、さらに樹脂弾性を利用して成形部品のみで形成することができ、軸を立上り部間に押し込むだけで支持脚を容易に取付けることができる。
【０００９】
請求項２のスタンド脚部のヒンジ構造は、請求項１において、前記軸が多角形であり、前記支持脚が倒れた状態で前記立上り部に挟持される前記軸の対向面間距離をｃとし、前記支持脚が起きた状態で前記立上り部に挟持される前記軸の対向面間距離をｄとし、かつ前記立上り部の基部間隔をｆとすると、ｃ＜ｄ≦ｆとしたものである。
【００１０】
請求項２のスタンド脚部のヒンジ構造によれば、請求項１の効果のほか、取付け状態での成形部品のクリープ変形を防ぎ、所定の保持力を維持でき、スタンド本体の立ち姿勢を支持脚の軸でも保持固定するとともに、支持脚のスタンド本体への取付けが容易で離脱を困難にすることができる。
【００１１】
【発明の実施の形態】
この発明の一実施の形態を図１ないし図６により説明する。すなわち、このフォトスタンドのスタンド脚部のヒンジ構造は、スタンド本体１と、支持脚２とを有しする。
スタンド本体１は、裏面に立設されて相対向する一対の弾性の立上り部３を有するとともに、一対の立上り部３の先端部に相接近する爪部４を有する。実施の形態のスタンド本体１は、額縁形状の口の字形をなす照明器具の合成樹脂製の器具本体であり、図３に示すように中央の開口に導光板９を保持し、一辺部の裏面に側面を入射面とし正面を出射面とした導光板８に光を入射する直管ランプ（図示せず）を配置し、さらに他辺部に直管ランプを点灯する点灯装置（図示せず）を配設している。そして、スタンド本体１の裏面は合成樹脂製の裏カバー１０により被覆し、裏カバー１０の略中央位置に一対の立上り部３と別の一対の立上り部３を並べて設けている。また立上り部３の相対向する垂直面３ａとこの垂直面３ａに連続する爪部４の下側の傾斜面１１は垂直面３ａに対して角度θ0 ＝１３５度の傾斜角をなし、爪部４の上側にも傾斜面１１と対称に傾斜して軸５を嵌合する際のガイト面１２となしている。１３は立上り部３の一方に一体に設けた突起、１４は立上り部３の他方の近傍に立設した突起である。
【００１２】
支持脚２は、スタンド本体１の裏面に回動可能に取付けられてスタンド本体１を所定の立ち姿勢に支持するものである。一対の立上り部３の爪部４の間を通して回転可能に挟持された軸５を基端部に有するとともに、スタンド本体１を所定の立ち姿勢に支持する際にスタンド本体１と支持脚２とがなす角度でスタンド本体１の裏面に当接する当接部８を基端部に有し、さらにその角度以上に支持脚２を回動するときにスタンド本体１の裏面に支持される支点となって軸５を爪部４間から外す支点部７を当接部８に隣接して有する。
【００１３】
実施の形態の支持脚２は略矩形状であり、基端部の端縁の幅方向の両端にそれぞれ凹部２１を形成し、凹部２１にそれぞれ立上り部３に挟持される軸５を設けている。これらの軸５は断面多角形とくに断面八角形をなしており、その内角θ0 は１３５度であるので、図１の（ｃ），（ｄ）のように軸５が立上り部３に位置したとき、垂直面３ａと傾斜面１１が面接触する。
【００１４】
また軸５の図２に示すように支持脚２が倒れた状態での立上り部３に挟持される対向面間距離ｃは、立上り部３の基部間距離ｆよりも小さく、爪部４の相互間隔ｅよりも大きく、すなわちｅ＜ｃ＜ｆとして、軸５を抜止めしている。また図１（ｄ）に示すように支持脚２が起きた状態での立上り部３に挟持される対向面間距離ｄを、ｃ＜ｄ≦ｆとして、軸５を立上り部３間に嵌めやすいが外れにくくしている。このように、断面８角形の軸５が立上り部３間に挟持されるように断続的に回転するので、支持脚２はスタンド本体１に倒れた状態と起きた状態との間をクリック動作する。
【００１５】
また、図２の軸５の中心５ａから裏カバー１０の裏面までの距離ｂよりも、支持脚２の基端部の当接面８の後端８ａと軸５の中心５ａとの間の距離ａを、ｂ＞ａとして、軸５の回転により後端８ａが裏カバー１０に当たらないようにしている。なお支持脚２の倒伏状態では突起１３が嵌合する凹部１５を支持脚２に形成するとともに、軸５が立上り部３の垂直面３ａと傾斜面１１とに接触するように凸部１６を支持脚２に設けている。
【００１６】
一方、支持脚３を起こした状態で当接部８が裏カバー１０の表面に当接するとともに突起１４が係合する傾斜面１７を支持脚２の厚さ方向の対称な位置に対称な形状に形成している。当接部８の傾斜角θ′は軸５の隣接する表面の一方の延長面となす角θ＝４５度と等しく、このため支持脚２の開き角が約４５度となる。１８は当接部８の一部と傾斜面１７との間の連接面であり、傾斜面１７と連接面１８との間および連接面１８と当接部８の表面との間がそれぞれ略１３５度の角度をなして軸５の外形に沿うようにしている。
【００１７】
また支持脚２が外れるときには支点部７が裏カバー１０に支持されて支点部７を支点に支持脚２が回動するが、このために軸５の中心５ａから支点部７の支点位置までの支持脚２の長手方向の寸法ｈを立上り部３の高さｇよりも大きくしている。
さらに支持脚２の起倒方向は図６に示すように長方形状のスタンド本体１の裏面の裏カバー１０の略中央部からコーナ方向であり、支持脚２の床に接する先端は図４に示す横立ち姿勢で傾斜面２０が床面に当接し、図５に示す縦立ち姿勢で傾斜面１９が床面に当接するように、傾斜面１９，２０を形成している。当接部８の傾斜各θ′は軸の隣接角θと等しくしている。
【００１８】
またａ＞ｂとし、支持脚の先端部が当接面が収納状態から支持状態への以降途中でスタンド本体の裏面に干渉しない傾斜面としている。
またｃ＜ｄ≦ｆとして、いれやすく外れにくくしている。
さらに支持脚２は約４５度開くことができる。
図１（ａ）は支持脚２を裏カバー１０に取付ける前の状態である。支持脚２を取付けるときは図１（ａ）のように支持脚２をスタンド１の裏カバー１０に平行に配置し、軸５を立上り部３間に押し込む。このとき図１（ｂ）のように軸５がガイド面１２に当たって立上り部３が開くように弾性変形し、図１（ｃ）のように入り込むと立上り部３が復帰して爪部４により軸５を抜止めする。これが取付け状態の完了であり、同時に図２および図６にも示す支持脚２は倒伏姿勢となる。図１（ｄ）は支持脚２を開いた状態であり、図３ないし図５の状態である。この場合、軸５が約４５度回動し多角形の隣接面が立上り部３の垂直面３ａに挟持されるようにクリック動作し保持固定され、このとき軸５の対向面間隔ｃ＜ｄとしているので、支持脚２の起こしを重く支持脚２の倒れが軽くなる。また当接部８で支持されて支持脚２が位置決めされる。なお、突起１４が傾斜面１７に接近ないし当接する。さらに図１（ｅ）から図１（ｆ）は支持脚２を開く方向にさらに加重を加えた状態であり、支点部７が裏カバー１０に支点となって支持されて軸５が立上り部１３の爪部４から押し出され、図１（ｇ）のように支持脚２が立上り部３から外れる。
【００１９】
この実施の形態によれば、支持脚２をスタンド本体１の裏面に倒した状態から軸５を中心に支持脚２を回動して支持脚２を起こし、当接部８がスタンド本体１の裏面に当接すると支持脚２の回動が停止し、スタンド本体１は支持脚２により所定の姿勢に支持される。この支持脚２を開く方向に支持脚２にさらに加重が加わると、支持脚２の支点部７が支点として支持脚２が回動し立上り部の弾性変形により軸５が一対の立上り部３の爪部４から抜き出され、支持脚２がスタンドから外れる。
【００２０】
この場合、支持脚２に開く加重が加わっても支持脚２がスタンド本体１より離脱することができるので構成部品を破壊することのを防止することができる。また従来例と比較して部品点数を少なくすることができ、さらに樹脂弾性を利用して成形部品のみで形成することができ、軸５を立上り部３間に押し込むだけで支持脚２を容易に取付けることができる。
【００２１】
また取付け状態での成形部品のクリープ変形を防ぎ、所定の保持力を維持でき、スタンド本体１の立ち姿勢を支持脚２の軸５でも保持固定するとともに、支持脚２のスタンド本体１への取付けが容易で離脱を困難にすることができる。
なお、この発明のスタンド本体１は照明器具の器具本体に限らない。また凸部１６を除いて、支持脚２が倒れた状態で軸５を爪部４より裏カバー１０よりに位置させることができるようにし、支持脚２が起きた状態で当接部８が裏カバー１０に当接し軸５は爪部４に当接するものでもよい。
【００２２】
【発明の効果】
請求項１のスタンド脚部のヒンジ構造によれば、支持脚をスタンド本体の裏面に倒した状態から軸を中心に支持脚を回動して支持脚を起こし、当接部がスタンド本体の裏面に当接すると支持脚の回動が停止し、スタンド本体は支持脚により所定の姿勢に支持される。この支持脚を開く方向に支持脚にさらに加重が加わると、支持脚の支点部が支点として支持脚が回動し立上り部の弾性変形により軸が一対の立上り部の爪部から抜き出され、支持脚がスタンドから外れる。
【００２３】
この場合、支持脚に開く加重が加わっても支持脚がスタンド本体より離脱することができるので構成部品を破壊することのを防止することができる。また従来例と比較して部品点数を少なくすることができ、さらに樹脂弾性を利用して成形部品のみで形成することができ、軸を立上り部間に押し込むだけで支持脚を容易に取付けることができる。
【００２４】
請求項２のスタンド脚部のヒンジ構造によれば、請求項１の効果のほか、取付け状態での成形部品のクリープ変形を防ぎ、所定の保持力を維持でき、スタンド本体の立ち姿勢を支持脚の軸でも保持固定するとともに、支持脚のスタンド本体への取付けが容易で離脱を困難にすることができる。
【図面の簡単な説明】
【図１】この発明の一実施の形態の動作説明図である。
【図２】支持脚の倒れた状態の軸部分の拡大図である。
【図３】フォトスタンドを示す外観斜視図である。
【図４】フォトスタンドを横に立てた姿勢の裏側から見た斜視図である。
【図５】フォトスタンドを縦に立てた姿勢の裏側から見た斜視図である。
【図６】支持脚を倒した状態のフォトスタンドを裏側から見た斜視図である。
【図７】従来例の部分斜視図である。
【図８】他の従来例の部分斜視図である。
【図９】さらに他の従来例の部分斜視図である。
【符号の説明】
１    スタンド本体
２    支持脚
３    立上り部
４    爪部
６    軸
７    支点部
８    当接部
【図１】
0003700285.tif 000002
【図２】
0003700285.tif 000003
【図３】
0003700285.tif 000004
【図４】
0003700285.tif 000005
【図５】
0003700285.tif 000006
【図６】
0003700285.tif 000007
【図７】
0003700285.tif 000008
【図８】
0003700285.tif 000009
【図９】
0003700285.tif 000010